(57)【特許請求の範囲】
【請求項１】
フランジのある複数個のカップ容器を一列に並べた状態でまとめて固定するための板紙製のカップホルダーであって、カップ容器の天面より僅かに狭い幅の長方形状の天板と、その天板の両側にそれぞれ折り用の罫線を介して連設された側板と、それらの側板の外側にそれぞれ折返し用の罫線を介して連設された折返し片とを有し、折り用の罫線の途中には左右対称な位置にカップ容器と同数でかつカップ容器の縁を覆うカバー部分を形成するための外向きの切込みが設けられ、折返し片の先端には、内側に折り返したときに折り用の罫線に近接するところまで至るとともに先端がギザギザ状に形成されたロック部が外向きの切込みに対応する位置に設けられており、折返し片には、ロック部の両側に該ロック部を区画する切込みが形成されており、側板にも、折返し片を内側に折り返したときに該折返し片の切込みと重なるように切込みが形成されていることを特徴とするカップホルダー。
【発明の詳細な説明】
【技術分野】
【０００１】
本発明は、包装分野に属し、詳しくは、口部の周縁に蓋剤をシールするためのフランジを有するカップ容器を複数個まとめて保持するのに用いられるカップホルダーに関するものである。
【背景技術】
【０００２】
従来より、ヨーグルト、プリン、ゼリー等のデザートや、納豆、海草等の食品は、その食べやすさ、保存しやすさなどを考慮して、１食分をカップ容器に入れ、口部の周縁にあるフランジにフィルムをシールした形態のものが販売されている。そして、まとめ買いの便宜を図るため、２〜４個程度を並べた状態で別の包材により束ねることでマルチパックとしたものが種々販売されているが、最近では省資源的な観点から、並べた複数のカップ容器の上部を覆う一枚の板紙からなり、カップ容器のフランジを利用して固定するタイプのカップホルダーが多く用いられるようになっている。
【０００３】
このタイプのカップホルダーは、一列に並べた複数個のカップ容器の上部に被せ、天板の両サイドにある側板を下側に折り曲げると同時にカップ容器のフランジに嵌合させて固定するものである。そのため、天板と側板の間に、折り用の罫線と側板の方に突出させた切込みとを交互に配列し、その切込みを中央部に天板方向に突出する突起部を持つ形状とし、この突起部でカップ容器のフランジを係止して固定するようにしている。また、側板の外側に折返し片を連設し、これを折り返して二重の側板を形成することで、強度を持たせるようにしたものも知られている。
【先行技術文献】
【特許文献】
【０００４】
【特許文献１】特開平８−３２４６２８号公報
【特許文献１】特開２００５−９１９７２号公報
【発明の概要】
【発明が解決しようとする課題】
【０００５】
上記のカップホルダーは、側板を下方に折り曲げるとその上端縁にカップ容器のフランジに係止する突起部が形成され、これによってカップ容器を固定することができるという優れた利点を有している。しかしながら、側板を折り曲げて当該側板の上端縁でカップ容器のフランジを係止すると、カップ容器における天面の一部分がカップホルダーの天板から突き出て露出してしまうことになり、店頭に並ぶ商品としては見栄えが悪いという問題がある。
【０００６】
本発明は、上記のような問題点に鑑みてなされたものであり、その目的とするところは、カップ容器の天面が露出して見栄えが悪くなることのない係止構造を有するカップホルダーを提供することにある。
【課題を解決するための手段】
【０００７】
上記の目的を達成するため、本発明のカップホルダーは、フランジのある複数個のカップ容器を一列に並べた状態でまとめて固定するための板紙製のカップホルダーであって、カップ容器の天面より僅かに狭い幅の長方形状の天板と、その天板の両側にそれぞれ折り用の罫線を介して連設された側板と、それらの側板の外側にそれぞれ折返し用の罫線を介して連設された折返し片とを有し、折り用の罫線の途中には左右対称な位置にカップ容器と同数でかつカップ容器の縁を覆うカバー部分を形成するための外向きの切込みが設けられ、折返し片の先端には、内側に折り返したときに折り用の罫線に近接するところまで至るとともに先端がギザギザ状に形成されたロック部が外向きの切込みに対応する位置に設けられており、折返し片には、ロック部の両側に該ロック部を区画する切込みが形成されており、側板にも、折返し片を内側に折り返したときに該折返し片の切込みと重なるように切込みが形成されていることを特徴とする。
【０００８】
本発明のカップホルダーは、折返し片を折返し用の罫線で折り返して側板の裏側に貼り合わせると、折返し片の先端にあるロック部が折り用の罫線に近接するとともに外向きの切込みの内側に位置した状態になる。そして、このように折返し片を側板に貼り合わせて側板部分を二重の状態としてから、カップ容器に天板の部分を被せて側板部分を下方に折り曲げると、先端がギザギザ状のロック部がフランジの裏側に係止してカップ容器が固定され、カップ容器の天面は天板とそれから突出するカバー部分により完全に覆われた状態になる。
【０００９】
また、本発明のカップホルダーは、折返し片には、ロック部の両側に該ロック部を区画する切込みが形成されており、側板にも、折返し片を内側に折り返したときに該折返し片の切込みと重なるように切込みが形成されていることにより、側板部分を下方に折り曲げる際に、カップ容器のテーパーの付いた側面に押し当てるようにすると、ロック部のある先端部分が外側に撓むことで係止が外れにくくなる。
【発明の効果】
【００１０】
本発明のカップホルダーは、折返し片を折り返して側板の裏側に貼り合わせた状態とし、この状態でカップ容器に天板の部分を被せて側板の部分を下方に折り曲げると、ロック部がフランジの裏側に係止してカップ容器が固定され、このときカップ容器の天面は天板とそれから突出するカバー部分により完全に覆われた状態になるので、従来のようにロック部の形状に天板の形状が影響されることがなく、固定したカップ容器の天面が露出して見栄えが悪くなるようなことがない。
【図面の簡単な説明】
【００１１】
【図１】本発明に係るカップホルダーを示す展開図である。
【図２】図１のカップホルダーを使用するために折返し片を折り返して側板の裏側に貼り合わせた状態を示す裏面図である。
【図３】図１のカップホルダーを用いて３個のカップ容器を固定したマルチパックの斜視図である。
【図４】図３のマルチパックにおいてカップ容器とカップホルダーの嵌合状態を裏側から見た状態で示す一部斜視図である。
【発明を実施するための形態】
【００１２】
次に、本発明の実施の形態について図面を参照しながら詳細に説明する。
【００１３】
図１に示すカップホルダーＨは、板紙を打ち抜いた一枚もののブランクで、図示のように、カップ容器の天面より僅かに狭い幅の長方形状の天板１と、その天板１の両側にそれぞれ折り用の罫線ａを介して連設された側板２と、それらの側板２の外側にそれぞれ折返し用の罫線ｂを介して連設された折返し片３とを有している。
【００１４】
そして、折り用の罫線ａの途中には左右対称な位置にカップ容器と同数でかつカップ容器の縁を覆うカバー部分を形成するための外向きの切込みαが設けられ、折返し片３の先端には、内側に折り返したときに折り用の罫線ａに近接するところまで至るロック部３ａが外向きの切込みαに対応する位置に設けられている。なお、この例では、外向きの切込みαの形状をカップ容器の縁に合致する円弧状としたが、このような円弧状に限定されるものではなく、カップ容器の天面が完全に覆われる形状であれば任意である。
【００１５】
図１のカップホルダーＨでは、折返し片３に設けるロック部３ａは、固定するカップ容器のフランジ内に収まる長さで突設され、しかもカップ容器のフランジに係止するように先端が図示の如くギザギサ状に形成されている。このロック部３ａの形状は、図示のものに限定されず、カップ容器のフランジと係合可能なものであれば任意である。
【００１６】
また、折返し片３には、ロック部３ａの両側に該ロック部３ａを区画する切込みβが形成されており、側板３にも、折返し片３ａを内側に折り返したときに該折返し片３ａの切込みβと重なるように切込みγが形成されている。
【００１７】
図１のカップホルダーＨは、図２に示すように、折返し片３を折返し用の罫線ｂのところで折り返して側板２の裏側に貼り合わせた状態とし、この貼り合わせ状態で食品メーカー等に供給して使用される。すなわち、糊貼りするかあるいはフレームシーラーで熱接着して側板部分を二重の状態とする。このように側板部分を二重とすることにより、折返し片３の先端にあるロック部３ａが折り用の罫線ａに近接するとともに外向きの切込みαの内側に位置した状態になる。この二重構造により結果的にホルダーとしての強度が増すことになるので、折返し片３の増設によりブランクとしての面積が増えることになるものの、汎用品よりも薄手の板紙を用いて作製できるという利点がある。
【００１８】
そして、図２に示すカップホルダーＨを使用して図３に示すようにカップ容器Ｃを束ねて固定する。すなわち、直列に並べた３個のカップ容器ＣにカップホルダーＨの天板１の部分を被せ、二重となった側板部分を下方に折り曲げると、図４に示すように、折返し片３のロック部３ａがカップ容器Ｃのフランジの裏側に係止してカップ容器Ｃが固定され、カップ容器Ｃの天面は天板１とそれから突出するカバー部分により完全に覆われた状態になる。
【００１９】
このとき、側板部分を下方に折り曲げる際に、カップ容器Ｃのテーパーの付いた側面に押し当てるように強く挟むと、側板２と折返し片３にロック部３ａのある領域を区画する切込みβ，γを設けてあるので、ロック部３ａのある先端部分が外側に撓むことで嵌合状態となり、フランジに対する係止が外れにくくなる。
【００２０】
以上、本発明を実施するための形態について詳細に説明してきたが、本発明によるカップホルダーは、上記の形態に何ら限定されるものではなく、本発明の趣旨を逸脱しない範囲において種々の変更が可能であることは当然のことである。
【符号の説明】
【００２１】
Ｃ  カップ容器
Ｈ  カップホルダー
１  天板
２  側板
３  折返し片
３ａ  ロック部
ａ，ｂ  罫線
α，β，γ  切込み
【図１】
0005640469.tif 000002
【図２】
0005640469.tif 000003
【図３】
0005640469.tif 000004
【図４】
0005640469.tif 000005